(57)【要約】【課題】簡易な構成のステップ部を有すると共に、製造コストを低減できる人工木デッキを提供すること。【解決手段】人工木で形成された複数の床板材２２を有するデッキ本体２０と、デッキ本体２０に接続されるステップ部３０と、を備える人工木デッキ１であって、ステップ部３０は、人工木で形成された一対の側板４１と、一対の側板４１の間に配置され人工木で形成された踏板５１１と、を有し、床板材２２、側板４１及び踏板５１１は、断面形状が同一である。【選択図】図３
2019011587.tif 000002
【特許請求の範囲】
【請求項１】
人工木で形成された複数の床板材を有するデッキ本体と、前記デッキ本体に接続されるステップ部と、を備える人工木デッキであって、
前記ステップ部は、人工木で形成された一対の側板と、前記一対の側板の間に配置され人工木で形成された踏板と、を有し、
前記床板材、前記側板及び前記踏板は、断面形状が同一である人工木デッキ。
【請求項２】
前記側板は、中空部を有するホロー構造の形材により形成され、
前記中空部の内部に配置される中空部補強部材を備え、
前記踏板は、前記中空部補強部材に補強された状態で、前記一対の側板の内側の側面に固定される請求項１に記載の人工木デッキ。
【請求項３】
前記ステップ部は、上下方向に延びると共に人工木で形成された蹴込み部を有しネジ部材により前記踏板に固定されるステップ幕板部と、前記ネジ部材を覆うように前記ステップ幕板部に取り付けられる幕板カバー部材と、前記側板の端部の開口を覆うように前記側板に取り付けられる側板カバー部材と、を有し、
前記幕板カバー部材及び前記側板カバー部材は、断面形状が同一である請求項１又は２に記載の人工木デッキ。
【発明の詳細な説明】
【技術分野】
【０００１】
本発明は、人工木デッキに関する。詳しくは、例えば、木粉を混ぜた樹脂材料により形成された人工木材を使用したデッキに関する。
【背景技術】
【０００２】
従来、建物の外側の庭などに配置されるデッキにおいて、木粉を混ぜた樹脂材料により形成された人工木材を使用した人工木デッキが知られている（例えば、特許文献１及び２参照）。特許文献１及び２に記載の人工木デッキは、デッキ本体と、階段状のステップ部と、を備える。ステップ部は、一対の側板と、一対の側板の間に配置される踏板と、を有する。
【先行技術文献】
【特許文献】
【０００３】
【特許文献１】特開２００６−２９００４号公報
【特許文献２】特開２０１０−１９６４１７号公報
【発明の概要】
【発明が解決しようとする課題】
【０００４】
人工木デッキのステップ部において、専用の側板を設定することがあり、側板の構造が複雑になりがちであり、専用の側板を製造する際の製造コストが高くなる場合があった。
そのため、簡易な構成を有するステップ部が望まれる。また、製造コストが低減されることが望まれる。
【０００５】
本発明は、簡易な構成のステップ部を有すると共に、製造コストを低減できる人工木デッキを提供することを目的とする。
【課題を解決するための手段】
【０００６】
本発明は、人工木で形成された複数の床板材（例えば、後述の床板材２２）を有するデッキ本体（例えば、後述のデッキ本体２０）と、前記デッキ本体に接続されるステップ部（例えば、後述のステップ部３０）と、を備える人工木デッキ（例えば、後述の人工木デッキ１）であって、前記ステップ部は、人工木で形成された一対の側板（例えば、後述の側板４１）と、前記一対の側板の間に配置され人工木で形成された踏板（例えば、後述の踏板５１１）と、を有し、前記床板材、前記側板及び前記踏板は、断面形状が同一である人工木デッキに関する。
【０００７】
また、前記側板は、中空部（例えば、後述の中空部４１１）を有するホロー構造の形材により形成され、前記中空部の内部に配置される中空部補強部材（例えば、後述の側板補強部材４４）を備え、前記踏板は、前記中空部補強部材に補強された状態で、前記一対の側板の内側の側面に固定されることが好ましい。
【０００８】
また、前記ステップ部は、上下方向に延びると共に人工木で形成された蹴込み部（例えば、後述の蹴込み部５６）を有しネジ部材により前記踏板に固定されるステップ幕板部（例えば、後述のステップ幕板部５２）と、前記ネジ部材を覆うように前記ステップ幕板部に取り付けられる幕板カバー部材（例えば、後述の段鼻カバー部材）と、前記側板の端部の開口を覆うように前記側板に取り付けられる側板カバー部材（例えば、後述の側板カバー部材４２）と、を有し、前記幕板カバー部材及び前記側板カバー部材は、断面形状が同一であることが好ましい。
【発明の効果】
【０００９】
本発明によれば、簡易な構成のステップ部を有すると共に、製造コストを低減できる人工木デッキを提供することができる。
【図面の簡単な説明】
【００１０】
【図１】本発明の人工木デッキの全体構成を示す斜視図である。
【図２】人工木デッキのデッキ本体の構造を示す斜視図である。
【図３】人工木デッキのステップ部を示す斜視図である。
【図４】側板の断面を示す図３のＡ−Ａ線断面図である。
【図５】人工木デッキを後側の斜め上方側から見た斜視図である。
【図６】デッキ本体とステップ部との接続構造を示す斜視図である。
【図７】側板と踏板との固定構造を示す断面図である。
【図８】側板と踏板との固定構造を示す斜視図である。
【図９】踏板及びステップ幕板部を後側から見た斜視図である。
【図１０】踏板及びステップ幕板部を示す図３のＢ−Ｂ線断面図である。
【図１１】人工木デッキの施工方法を説明する図であって、内面側穴あけ治具を用いて踏板受け金具及び下端取付金具を取り付ける場合を示す斜視図である。
【図１２】人工木デッキの施工方法を説明する図であって、側板を設置する状態を示す斜視図である。
【図１３】人工木デッキの施工方法を説明する図であって、踏板を取り付ける状態を示す斜視図である。
【図１４】踏板を側板に取り付ける状態を示す斜視図である。
【図１５】ステップ幕板部を踏板に取り付ける状態を示す斜視図である。
【図１６】ステップ幕板部に幕板補強ブラケットを嵌合させた状態を示す斜視図である。
【図１７】照明ユニットを取り付ける状態を示す斜視図である。
【図１８】人工木デッキの施工方法を説明する図であって、ステップ幕板部を踏板にネジ固定により取り付けて段鼻カバー部材を取り付ける状態を示す断面図である。
【図１９】外面側穴あけ治具を用いて手摺り柱などを取り付けるための穴加工を行う場合を示す斜視図である。
【発明を実施するための形態】
【００１１】
以下、本発明の人工木デッキ１の一実施形態について、図面を参照しながら説明する。図１は、本発明の人工木デッキ１の全体構成を示す斜視図である。図２は、人工木デッキのデッキ本体の構造を示す斜視図である。図３は、人工木デッキ１のステップ部３０を示す斜視図である。図４は、側板４１の断面を示す図３のＡ−Ａ線断面図である。図５は、人工木デッキ１を後側の斜め上方側から見た斜視図である。図６は、デッキ本体２０とステップ部３０との接続構造を示す斜視図である。図７は、側板４１と踏板５１１との固定構造を示す断面図である。図８は、側板４１と踏板５１１との固定構造を示す斜視図である。図９は、踏板５１１及びステップ幕板部５２を後側から見た斜視図である。図１０は、踏板５１１及びステップ幕板部５２を示す図３のＢ−Ｂ線断面図である。
【００１２】
図１に示すように、本実施形態の人工木デッキ１は、例えば、建物１０のテラス窓１１の外側の庭などに設置されている。本実施形態の人工木デッキ１は、主に、外観表面において、人工木が外部に露出した人工木のデッキである。本実施形態においては、人工木とは、天然木材ではなく、例えば、木粉を混ぜた樹脂材料を押出成形した人工木材を使用することにより、天然木の質感を持たせたものである。具体的には、本実施形態の人工木デッキ１のデッキ本体２０の上面を構成する複数の床板材２２は、例えば、木粉を混ぜた樹脂材料の押出成形により形成され、表面に微細な木目状の溝状の凹凸を有している。
【００１３】
人工木デッキ１は、図１に示すように、デッキ本体２０と、デッキ本体２０を支持する複数の束柱２１と、デッキ本体２０に接続されるステップ部３０と、を備える。デッキ本体２０は、建物１０の外部に張り出して設けられた床として構成される。デッキ本体２０は、図２に示すように、複数の床板材２２と、デッキ幕板２３と、複数の大引２４と、を備える。複数の束柱２１は、基礎石２１１から立設して配置され、建物１０のテラス窓１１（図１参照）に沿って並んで配置されると共に、建物１０から離れる方向に複数並んで配置される。複数の大引２４は、複数の束柱２１の上端部の上面に配置され、建物１０のテラス窓１１に沿って延びる。
【００１４】
なお、以下の説明においては、人工木デッキ１におけるステップ部３０の方向について、ステップ部３０を正面から見た場合（ステップ部３０に対面した場合）における左右の向きを左右方向Ｘともいい、ステップ部３０を正面から見た場合（ステップ部３０に対面した場合）における前後の向きを前後方向Ｙともいう。また、ステップ部３０の手前側を前側Ｙ１ともいい、ステップ部３０の奥側を後側Ｙ２ともいう。
【００１５】
複数の床板材２２は、所定の厚さを有して長尺状に形成され、所定方向に並んで配置される。複数の床板材２２は、複数の大引２４の上面に配置され、複数の大引２４の長手方向に直交する方向に沿って延びる。複数の床板材２２は、隣接する床板材２２の下端部が横止め部品２６と大引２４との間に挟み込まれた状態で、横止め部品２６を大引２４に固定することで、複数の大引２４に固定される。複数の床板材２２は、それぞれ、外観表面が天然木の質感が表現された木目調の人工木により形成される。
【００１６】
複数の床板材２２は、それぞれ、例えば、木粉を混ぜた樹脂材料の押出成形により形成される。床板材２２は、図３に示すように、上面及び下面が平面状であって、断面が矩形状に形成される。床板材２２は、床板材２２の幅方向に並んで配置される複数の中空部２２１を有するホロー構造の形材により形成され、上面及び下面の幅方向の端部から面方向の外方に延出する延出端部２２２を有する。
【００１７】
デッキ幕板２３は、図１〜図３に示すように、上下方向に延びる板状に形成される。デッキ幕板２３は、床板材２２の端面及び側面を覆うように、床板材２２の端面及び側面に沿って配置される。デッキ幕板２３は、床板材２２の端面及び側面から下方に延びる。なお、本実施形態に限定されず、デッキ幕板２３を設けなくてもよい。デッキ幕板２３を設けない場合には、床板材２２の端面及び側面は、カバー部材（図示せず）で覆われることが好ましい。また、この場合に、後述するように、床板材２２、側板４１及び踏板５１１は、同一の断面形状で形成されるため、床板材２２の長手方向に沿う側面を覆うカバー部材として、側板４１の長手方向の側面を覆う側板カバー部材４２（後述）と共通のカバー部材を使用することができる。
【００１８】
ステップ部３０は、デッキ本体２０の縁部の任意の位置に設置される。ステップ部３０は、地面とデッキ本体２０との間に配置され、デッキ本体２０に人が昇り降りするために、階段状に形成される。本実施形態においては、ステップ部３０は、例えば、踏板５１１（後述）が２段の階段状に形成される。
【００１９】
ステップ部３０は、図３及び図４に示すように、一対の側板構成部４０と、２組のステップ段構成部５０と、を備える。
【００２０】
一対の側板構成部４０は、それぞれ、一対の側板４１と、側板カバー部材４２と、一対の側板取付金具４３と、２つの側板補強部材４４（中空部補強部材）と、を有する。
【００２１】
一対の側板４１は、地面から立ち上がる板状に形成される。一対の側板４１は、左右方向Ｘに離間して配置され、互いが対向して配置される。一対の側板４１は、所定の厚さを有して長尺状に形成され、傾斜方向に延びる。
【００２２】
一対の側板４１は、それぞれ、床板材２２と同一材料からなる人工木により形成され、外観表面が、天然木の質感が表現された木目調に形成される。複数の側板４１は、それぞれ、床板材２２と同様に、例えば、木粉を混ぜた樹脂材料の押出成形により形成され、表面に微細な木目状の溝状の凹凸を有している。
【００２３】
側板４１は、図４に示すように、床板材２２と同様に、左面及び右面が平面状であって、断面が矩形状に形成される。側板４１は、側板４１の幅方向に並んで配置される複数の中空部４１１を有するホロー構造の形材により形成され、左面及び右面の幅方向の端部から面方向の外方に延出する延出端部４１２を有する。また、本実施形態においては、側板４１は、床板材２２と同一材料及び同一の断面形状で形成される。
【００２４】
側板カバー部材４２は、図３及び図４に示すように、側板４１の上端部の開口を覆うように側板４１の上端部に取り付けられる。側板カバー部材４２は、側板４１の上端部に沿って傾斜して延びる。側板カバー部材４２は、長尺状の板材で形成され、幅方向の両端部に一対の係合部４２１を有し、側板４１の上端部に係合する。側板カバー部材４２は、人工木により形成され、外観表面が、天然木の質感が表現された木目調に形成される。側板カバー部材４２の表面には、微細な木目状の溝状の凹凸が形成される。
【００２５】
側板取付金具４３は、図５及び図６に示すように、ステップ部３０をデッキ本体２０に接続する。側板取付金具４３は、図６に示すように、側板４１の上部側の側辺に取り付けられる。側板取付金具４３は、傾斜支持板４３１と、垂直板４３２と、逆Ｕ字状引っ掛け片４３３と、固定片４３４と、を有する。傾斜支持板４３１、垂直板４３２、逆Ｕ字状引っ掛け片４３３及び固定片４３４は、下方側から上方側に向けて、この順に接続される。
【００２６】
傾斜支持板４３１は、側板４１の後側Ｙ２の下部の傾斜面に沿って配置され、側板４１の上部側の下部の斜面にネジ部材４３１ａにより固定される。
垂直板４３２は、側板４１の後側Ｙ２の垂直端面に沿って配置され、側板４１の後側Ｙ２の垂直端面にネジ部材４３２ａにより固定される。
逆Ｕ字状引っ掛け片４３３は、逆Ｕ字形状に形成され、デッキ幕板２３の上端面に係止される。
固定片４３４は、ネジ部材４３４ａにより、デッキ本体２０の床板材２２の上面に固定される。
【００２７】
側板４１に固定された側板取付金具４３は、逆Ｕ字状引っ掛け片４３３がデッキ幕板２３の上端面に係止されて、固定片４３４とＬ字金具４３５との間に側板４１を挟み込んだ状態で、固定片４３４において、ネジ部材４３４ａによりネジ止めされる。このように、ステップ部３０は、デッキ本体２０に固定される。
【００２８】
２つの側板補強部材４４は、図４及び図６に示すように、それぞれ、側板４１の内部において、側板４１の傾斜方向に延びて形成される。側板補強部材４４は、図４に示すように、側板４１の５つの中空部４１１のうち、上方から２つ目の中空部４１１ａ及び最も下方の中空部４１１ｂに配置される。側板補強部材４４は、外周面が中空部４１１の内面に沿って配置される略方形筒状に形成され、側面において上下方向の中央部分が窪んでいる。本実施形態では、例えば、側板補強部材４４は、アルミ材料で形成される。
【００２９】
側板補強部材４４は、側板４１の強度を保持する強度部材を構成する。また、側板補強部材４４は、図７及び図８に示すように、踏板受け金具６１（後述）が、ネジ部材６０１により側板４１の内側の側面に固定される際に、図４に示すように、ネジ部材６０１の先端を受けるネジ受け部を構成する。
【００３０】
一対の側板４１の内側の側面には、図７及び図８に示すように、それぞれ、踏板受け金具６１が固定される。一対の踏板受け金具６１は、それぞれ、側板４１の内側の側面に固定される。側板４１に固定された踏板受け金具６１には、踏板５１１（後述）に固定された踏板側金具６２が取り付けられる。
【００３１】
踏板受け金具６１は、図７及び図８に示すように、側面板６１１と、底面板６１２と、２つの突出片６１３と、を有する。
側面板６１１は、板状に形成され、側板４１の内側の側面に配置される。側面板６１１は、ステップ部３０の前後方向Ｙに延びる。側面板６１１は、ネジ部材６０１により、側板４１の内側の側面に固定される。
底面板６１２は、板状に形成され、側面板６１１の下端部から、側板４１の内側に略水平に突出して、ステップ部３０の前後方向Ｙに延びる。
２つの突出片６１３は、ステップ部３０の前後方向Ｙに離間して配置される。２つの突出片６１３は、それぞれ、底面板６１２の一部をＵ字状に切り欠いて下方に折り返したように形成され、底面板６１２から下方に突出して延びる。底面板６１２における突出片６１３が折り返された部分には、開口６１４が形成されている。
【００３２】
２組のステップ段構成部５０は、図３に示すように、一対の側板４１の間に配置される。２組のステップ段構成部５０は、一対の側板４１の傾斜方向に離間して配置される。２組のステップ段構成部５０は、図９及び図１０に示すように、それぞれ、踏板構成部５１と、ステップ幕板部５２と、３つの幕板補強ブラケット５７（幕板補強部）と、照明ユニット５８と、を有する。踏板構成部５１は、踏板５１１と、中空部補強部材としての２つの踏板補強部材５１４と、一対の踏板側金具６２（図７及び図８参照）と、を有する。
【００３３】
踏板５１１は、床板材２２と同一材料からなる人工木により形成され、外観表面が、天然木の質感が表現された木目調に形成される。踏板５１１は、床板材２２及び側板４１と同様に、例えば、木粉を混ぜた樹脂材料の押出成形により形成され、表面に微細な木目状の溝状の凹凸を有している。
【００３４】
踏板５１１は、図９及び図１０に示すように、床板材２２及び側板４１と同様に、上面及び下面が平面状であって、断面が矩形状に形成される。踏板５１１は、踏板５１１の幅方向（前後方向Ｙ）に並んで配置される複数の中空部５１２を有するホロー構造の形材により形成され、上面及び下面の幅方向の端部から面方向の外方に延出する延出端部５１３（上面延出端部５１３ａ，下面延出端部５１３ｂ）を有する。本実施形態においては、踏板５１１は、側板４１及び床板材２２と同一材料及び同一の断面形状で形成される。
【００３５】
本実施形態においては、踏板５１１、側板４１及び床板材２２は、同一材料及び同一の断面形状を有する共通の部材を、例えば、押出成形により形成して、使用される長さや配置される角度に応じて、所定の長さ及び所定の角度に切断又は製作することで製造される。
【００３６】
２つの踏板補強部材５１４は、図９及び図１０に示すように、それぞれ、踏板５１１の内部において、踏板５１１の左右方向Ｘに延びて形成される。２つの踏板補強部材５１４は、踏板５１１の５つの中空部５１２のうち、前後方向Ｙの両端の中空部５１２ａ，５１２ｂに配置される。踏板補強部材５１４は、外周面が中空部５１２の内面に沿って配置される略方形筒状に形成され、上面及び下面において前後方向Ｙの中央部分が窪んでいる。本実施形態では、例えば、踏板補強部材５１４は、アルミ材料で形成される。
【００３７】
踏板補強部材５１４は、踏板５１１の強度を保持する強度部材を構成する。また、踏板５１１の５つの中空部５１２のうち、前側Ｙ１の中空部５１２ａに配置される踏板補強部材５１４は、ステップ幕板部５２を踏板５１１にネジ部材５０１で取り付ける際に、ネジ部材５０１の先端側を受けるネジ受け部を構成する。
【００３８】
踏板５１１の左右方向Ｘの端部の下面には、図７及び図８に示すように、一対の踏板側金具６２が固定される。踏板５１１は、踏板５１１に固定された踏板側金具６２を、側板４１に固定された踏板受け金具６１に取り付けることで、側板４１に取り付けられる。
【００３９】
踏板側金具６２は、側面板６２１と、底面板６２２と、２つの突出片６２３と、を有する。
側面板６２１は、板状に形成され、踏板５１１の左右方向Ｘの端部の端面に沿って配置される。側面板６２１は、踏板５１１の前後方向Ｙに延びる。
底面板６２２は、板状に形成され、側面板６２１の下端部から、踏板５１１の内側に略水平に所定幅で延び、踏板５１１の前後方向Ｙに延びる。底面板６２２は、踏板５１１の左右方向Ｘの端部の底面に固定される。
２つの突出片６２３は、踏板５１１の前後方向Ｙに離間して配置される。２つの突出片６２３は、それぞれ、底面板６２２の一部をＵ字状に切り欠いて下方に折り返したように形成され、底面板６２２から下方に突出して延びる。
【００４０】
踏板５１１を側板４１に取り付ける場合には、図７及び図８に示すように、踏板５１１に固定された踏板側金具６２の突出片６２３を、側板４１に固定された踏板受け金具６１の開口６１４に挿入することで、踏板側金具６２の突出片６２３及び踏板受け金具６１の突出片６１３を重ね合わせる。そして、ネジ部材５０２により、突出片６２３及び突出片６１３を共締めする。これにより、踏板５１１に固定された踏板側金具６２を、側板４１に固定された踏板受け金具６１に固定することで、踏板５１１を、側板４１に取り付ける。
【００４１】
ステップ幕板部５２は、図１０に示すように、ネジ部材５０１により、踏板５１１に固定される。ステップ幕板部５２は、段鼻部５３と、蹴込み部５６と、を有する。段鼻部５３は、段鼻本体部５４と、段鼻カバー部材５５（幕板カバー部材）と、を有する。段鼻本体部５４と蹴込み部５６とは、一体的に形成される。蹴込み部５６は、上下方向に延びる板状に形成される。段鼻本体部５４は、蹴込み部５６の上端に配置され、蹴込み部５６よりも前側Ｙ１に突出する。
【００４２】
ステップ幕板部５２（段鼻本体部５４、蹴込み部５）は、人工木により形成され、外観表面が、天然木の質感が表現された木目調に形成される。ステップ幕板部５２は、床板材２２と同様に、例えば、木粉を混ぜた樹脂材料の押出成形により形成され、前側Ｙ１の表面には、微細な木目状の溝状の凹凸が形成される。
【００４３】
段鼻本体部５４は、踏板５１１の前側Ｙ１に配置される。段鼻本体部５４は、蹴込み部５６の前側Ｙ１の表面よりも前側Ｙ１に突出して形成される。段鼻本体部５４は、上面滑止溝部５４１と、側面凹部５４２（ネジ部材配置部及び配線配置部）と、下面凹部５４３（照明取付凹部）と、を有する。段鼻本体部５４及び踏板５１１は、上下方向の位置が略同じ位置に位置し、水平方向に並んで配置されている。
【００４４】
上面滑止溝部５４１は、踏板５１１の前側Ｙ１に配置され、踏板５１１の上面よりも僅かに高い上面を有する。上面滑止溝部５４１は、上面に溝状の凹凸が形成され、滑り止め機能を有する。
【００４５】
側面凹部５４２は、段鼻本体部５４における前側Ｙ１に開口して形成され、ステップ幕板部５２を踏板５１１に固定するためのネジ部材５０１が配置される。側面凹部５４２の内部の奥側において上下に延びる面には、前側Ｙ１に開放するＶ字状のＶ溝５４２ａが形成されている。Ｖ溝５４２ａは、段鼻本体部５４の左右方向Ｘの全域に亘って形成される。ネジ部材５０１は、側面凹部５４２の前側Ｙ１から後側Ｙ２に向けて前後方向Ｙに移動されて、Ｖ溝５４２ａに先端が当てられて、段鼻本体部５４、幕板補強ブラケット５７（後述）の延在基板部５７１の上部側の部分及び踏板５１１の内部に挿入される。ここで、ネジ部材５０１でステップ幕板部５２を踏板５１１に固定する場合に、Ｖ溝５４２ａにネジ部材５０１の先端を当てることで、ネジ部材５０１の上下方向のネジ止め位置を容易に決めることができる。また、段鼻本体部５４及び踏板５１１が水平方向に並んで配置され、踏板５１１は、前後方向Ｙに延びている。そのため、ネジ部材５０１が前後方向Ｙに移動されても、ネジ部材５０１の先端は、踏板５１１の内部に位置して、外部に飛び出ることはない。ネジ部材５０１の頭部は、側面凹部５４２に配置される。
【００４６】
段鼻カバー部材５５は、側面凹部５４２に配置されたネジ部材５０１を覆うように、段鼻本体部５４の前側Ｙ１に取り付けられる。段鼻カバー部材５５は、上下方向に幅を有し、水平方向に延びる長尺状の板材で形成される。段鼻カバー部材５５は、幅方向の両端部に一対の係合部５５１を有し、段鼻本体部５４の前側Ｙ１に係合する。
【００４７】
段鼻カバー部材５５は、人工木により形成され、外観表面が、天然木の質感が表現された木目調に形成される。段鼻カバー部材５５の表面には、微細な木目状の溝状の凹凸が形成される。段鼻カバー部材５５の段面形状は、側板カバー部材４２の断面形状と同一である。本実施形態では、段鼻カバー部材５５及び側板カバー部材４２は、同一材料及び同一の断面形状を有する共通の部材を、使用される長さに応じて、所定の長さに切断又は製作することで製造される。これにより、段鼻カバー部材５５及び側板カバー部材４２を共通の部材とすることができるため、意匠性を向上させつつ、製造コストを低減できる。側面凹部５４２に段鼻カバー部材５５が取り付けられた状態においては、段鼻カバー部材５５の表面と段鼻本体部５４の表面とは、同一平面状に配置される。
【００４８】
下面凹部５４３は、ステップ幕板部５２の上部側に配置される段鼻本体部５４の下端部に配置され、下方に開放して形成される。下面凹部５４３には、照明ユニット５８が取り付けられる。照明ユニット５８は、ステップ幕板部５２の左右方向Ｘに延びる長尺状に形成される。照明ユニット５８の配線５９は、下面凹部５３３から、貫通孔５４３ａを介して、側面凹部５３２及び側板４１の内部を通されて、ステップ部３０の外部に導出される。側面凹部５３２及び側板４１の内部は、照明ユニット５８の配線５９が配置される配線配置部でもある。
【００４９】
蹴込み部５６は、図１０に示すように、段鼻本体部５４の前後方向Ｙの後側Ｙ２の下端部から下方に延びる板状に形成される。蹴込み部５６は、人工木により形成され、前側Ｙ１を向く外観表面が、天然木の質感が表現された木目調に形成される。
【００５０】
蹴込み部５６及び段鼻本体部５４の後側Ｙ２の背面であるステップ幕板部５２の背面には、ステップ幕板部５２の背面から突出すると共に左右方向Ｘに延びる複数の突条５２１が形成されている。複数の突条５２１は、上下方向に並んで配置される。
【００５１】
図１０に示すように、複数の突条５２１のうち、上端部の突条５２２には、下方に突出する上部側嵌合凸部５２２ａ（嵌合部）と、上端部から後方側に突出する上端凸部５２２ｂと、が形成される。
複数の突条５２１のうち、下端部の突条５２３には、上方に突出する下部側第１嵌合凸部５２３ａ（嵌合部）と、下方から２番目の突条５２４には、下方に突出する下部側第２嵌合凸部５２４ａ（嵌合部）が形成される。
【００５２】
３つの幕板補強ブラケット５７は、ステップ幕板部５２を後側Ｙ２から補強する。３つの幕板補強ブラケット５７は、図９に示すように、左右方向Ｘに離間して並んで配置される。本実施形態においては、幕板補強ブラケット５７は、樹脂材料で形成される。
【００５３】
幕板補強ブラケット５７は、図９及び図１０に示すように、上下方向に延びる延在基板部５７１と、延在基板部５７１の後側Ｙ２の面において左右方向Ｘに並んで配置される２つの突出部分５７２と、延在基板部５７１の後側Ｙ２の面の上部から後側Ｙ２に突出する踏板側嵌合部５７３（第２嵌合部）と、延在基板部５７１の前側Ｙ１の面の上端部において前側Ｙ１に突出する上部嵌合部５７５（第１嵌合部）と、延在基板部５７１の前側Ｙ１の面の下方において上下方向に離間して配置され前側Ｙ１に突出する２つの下部嵌合部５７６，５７７（第１嵌合部）と、を有する。
【００５４】
延在基板部５７１は、ステップ幕板部５２の背面に沿って上下方向に延びるように配置される。延在基板部５７１の上部は、ステップ幕板部５２と踏板５１１との間に配置される。延在基板部５７１の上下方向の途中から下部までの間には、後側Ｙ２に突出する突出部分５７２が形成される。
【００５５】
突出部分５７２は、ステップ幕板部５２が踏板５１１に取り付けられた場合に、踏板５１１の前側Ｙ１の下方側に配置される。
【００５６】
上部嵌合部５７５は、ステップ幕板部５２が踏板５１１に取り付けられた場合に、ステップ幕板部５２の背面に配置される上端部の突条５２２の上部側嵌合凸部５２２ａに嵌合する。
下部嵌合部５７６，５７７は、ステップ幕板部５２に幕板補強ブラケット５７に取り付ける際に、ステップ幕板部５２の背面の下部に配置される下部側第１嵌合凸部５２３ａ及び下部側第２嵌合凸部５２４ａに嵌合する。
このように、幕板補強ブラケット５７に上部嵌合部５７５及び下部嵌合部５７６，５７７が形成されることで、幕板補強ブラケット５７は、上部嵌合部５７５及び下部嵌合部５７６，５７７において、蹴込み部５６の後側Ｙ２の背面に嵌合される。
【００５７】
踏板側嵌合部５７３は、図１０に示すように、幕板補強ブラケット５７が取り付けられたステップ幕板部５２を踏板５１１に取り付ける場合に、踏板５１１の上面延出端部５１３ａの下面の凸部５１３ｄに嵌合される。これにより、幕板補強ブラケット５７は、上部の踏板側嵌合部５７３において、踏板５１１の前側Ｙ１の上面延出端部５１３ａに嵌合される。
【００５８】
次に、人工木デッキ１のデッキ本体２０にステップ部３０を取り付ける手順について説明する。図１１は、人工木デッキ１の施工方法を説明する図であって、内面側穴あけ治具７１を用いて踏板受け金具６１及び下端取付金具１２１を取り付ける場合を示す斜視図である。図１２は、人工木デッキ１の施工方法を説明する図であって、側板４１を設置する状態を示す斜視図である。図１３は、人工木デッキ１の施工方法を説明する図であって、踏板５１１を取り付ける状態を示す斜視図である。図１４は、踏板５１１を側板４１に取り付ける状態を示す斜視図である。図１５は、ステップ幕板部５２を踏板５１１に取り付ける状態を示す斜視図である。図１６は、ステップ幕板部５２に幕板補強ブラケット５７を嵌合させた状態を示す斜視図である。図１７は、照明ユニット５８を取り付ける状態を示す斜視図である。図１８は、人工木デッキ１の施工方法を説明する図であって、ステップ幕板部５２を踏板５１１にネジ固定により取り付けて段鼻カバー部材５５を取り付ける状態を示す断面図である。図１９は、外面側穴あけ治具７２を用いて手摺り柱などを取り付けるための穴加工を行う場合を示す斜視図である。
【００５９】
まず、図１１に示すように、一対の側板４１に、踏板側金具６２を取り付ける。この場合には、内面側穴あけ治具７１を用いて、踏板側金具６２を取り付けるための穴加工を行うと共に、後述する照明ユニット５８の配線５９を通すための穴加工を行う。
【００６０】
内面側穴あけ治具７１は、図１１に示すように、板状に形成される。内面側穴あけ治具７１は、使用時に、一端部側が、折り目７０１，７０２に沿ってＵ字状に折り曲げて使用され、側板４１の内側面、傾斜面、外側面に跨るように配置される。内面側穴あけ治具７１は、内側面位置合わせ水平片７１１と、傾斜面対応片７１２と、外側面折り返し片７１３と、を有する。
【００６１】
一対の側板４１に、踏板側金具６２を取り付ける場合には、内面側穴あけ治具７１を折り曲げて、内側面位置合わせ水平片７１１の上辺７１１ａを、踏板天端位置５１１ａに一致するように配置する。これにより、ステップ段構成部５０の踏板５１１の天端の位置決めを行うことができる。この状態で、側板４１の内側面において、複数の踏板用穴あけ開口７１１ｂ及び照明用穴あけ開口７１１ｃにマーキングペンなどの先端を挿入して、複数の踏板側金具ネジ穴４０１及び照明配線穴４０２の穴あけ位置にマーキングを行う。内面側穴あけ治具７１を側板４１から外した後に、マーキング位置において、複数の踏板側金具ネジ穴４０１及び照明配線穴４０２の穴加工を行う。
【００６２】
そして、複数の踏板側金具ネジ穴４０１において、ネジ部材６０１により、踏板側金具６２の側面板６２１を、側板４１の内側面の踏板５１１の取付位置に固定する。また、照明配線穴４０２には、後述する照明ユニット５８を取り付ける際に、照明ユニット５８の配線５９を通す。
【００６３】
次に、図１２に示すように、一対の側板４１を、デッキ本体２０に取り付ける。具体的には、側板４１の下端部において、側板４１の下端部の内側面に取り付けられた下端取付金具１２１を、ネジ部材１２２を途中まで締め込むことにより基礎石１２に仮固定する。また、側板４１の上端部において、逆Ｕ字状引っ掛け片４３３を、デッキ幕板２３の上端面に係止させて、固定片４３４とＬ字金具４３５との間に側板４１を挟み込んだ状態において、側板取付金具４３の固定片４３４を、ネジ部材４３４ａを途中まで締め込むことにより仮固定する。これにより、一対の側板４１を、デッキ本体２０に仮固定する。
【００６４】
ここで、側板４１の内側面の上下方向の途中において、踏板５１１を取り付ける位置に、踏板受け金具６１を取り付ける。側板４１の内部の中空部４１１ａ，４１１ｂには、側板補強部材４４が配置されている（図４及び図５参照）。そのため、踏板受け金具６１が、ネジ部材６０１により、側板４１の内側の側面に固定される際に、側板補強部材４４により、ネジ部材６０１の先端が受けられて、踏板受け金具６１は強固に固定される。これにより、踏板５１１は、側板補強部材４４に補強された状態で、一対の側板４１の内側の側面に固定される。よって、踏板５１１の側板４１への取り付け強度を向上できる。
【００６５】
続けて、図１３に示すように、踏板５１１を、一対の側板４１に取り付ける。具体的には、図１４に示すように、踏板５１１の左右方向Ｘの端部の下面に固定された踏板側金具６２の突出片６２３を、側板４１に固定された踏板受け金具６１の開口６１４に挿入することで、踏板側金具６２の突出片６２３及び踏板受け金具６１の突出片６１３を重ね合わせる。そして、ネジ部材５０２により、突出片６２３及び突出片６１３を共締めする。これにより、踏板５１１に固定された踏板側金具６２を、側板４１に固定された踏板受け金具６１に固定することで、踏板５１１を、一対の側板４１に取り付ける。
【００６６】
次に、図１５に示すように、ステップ幕板部５２を、踏板５１１に取り付ける。
ここで、図１６に示すように、ステップ幕板部５２を踏板５１１に取り付ける前に、工場や人工木デッキ１を施工する現場などで、予め、ステップ幕板部５２の後側Ｙ２の背面に、幕板補強ブラケット５７を、ステップ幕板部５２に嵌合させて、ステップ幕板部５２の背面に配置する（第１配置工程）。
【００６７】
ステップ幕板部５２の後側Ｙ２の背面に幕板補強ブラケット５７を嵌合させる場合には、幕板補強ブラケット５７の上部において、ステップ幕板部５２の背面の上部側嵌合凸部５２２ａに、幕板補強ブラケット５７の上部嵌合部５７５を嵌合させると共に、幕板補強ブラケット５７の下部において、ステップ幕板部５２の背面の下部側第１嵌合凸部５２３ａ及び下部側第２嵌合凸部５２４ａに、幕板補強ブラケット５７の下部嵌合部５７６，５７７を嵌合させる。これにより、ステップ幕板部５２に幕板補強ブラケット５７を嵌合させるだけで、ステップ幕板部５２の後側Ｙ２の背面に幕板補強ブラケット５７を取り付ける作業を容易に行うことができる。
【００６８】
また、図１７に示すように、ステップ幕板部５２を踏板５１１に取り付ける前に、工場や人工木デッキ１を施工する現場などで、予め、ステップ幕板部５２の段鼻部５３の下面凹部５４３に、照明ユニット５８を取り付ける。そして、照明ユニット５８の配線５９を、段鼻部５３の下面凹部５４３から、貫通孔５４３ａを介して、側面凹部５４２に通して配置し、側面凹部５４２に通された配線５９は、側板４１の内部を通される配線にコネクタ等を介して接続する。なお、照明ユニット５８を、ステップ部３０を設置した後に、後付けで、ステップ幕板部５２の段鼻部５３の下面凹部５４３に取り付けてもよい。
【００６９】
次に、図１８に示すように、幕板補強ブラケット５７が嵌合されたステップ幕板部５２を、踏板５１１の前側Ｙ１に嵌合させて、踏板５１１に配置する（第２配置工程）。この場合、幕板補強ブラケット５７の踏板側嵌合部５７３が、踏板５１１の上面延出端部５１３ａの下面の凸部５１３ｄに嵌合することで、踏板５１１をステップ幕板部５２に仮固定することができる。
【００７０】
続けて、踏板５１１をステップ幕板部５２に仮固定した状態で、ステップ幕板部５２、幕板補強ブラケット５７、踏板５１１及び踏板補強部材５１４を、ネジ部材５０１により、共締めする（ネジ固定工程）。ここで、側面凹部５４２の内部の奥側の面にはＶ溝５４２ａが形成されるため、ネジ部材５０１でステップ幕板部５２を踏板５１１に固定する場合に、Ｖ溝５４２ａにネジ部材５０１の先端を当てることで、ネジ部材５０１の上下方向のネジ止め位置を容易に決めることができる。これにより、踏板５１１をステップ幕板部５２に仮固定した状態で、ステップ幕板部５２を踏板５１１に簡単に固定することができる。
【００７１】
そして、側板４１の下端部において仮固定していた下端取付金具１２１（図１５参照）を、ネジ部材１２２を締め付けることにより、本固定する。また、側板４１の上端部において仮固定していた側板取付金具４３の固定片４３４（図１５参照）を、ネジ部材４３４ａを締め付けることにより、本固定する。
【００７２】
また、図１８に示すように、段鼻カバー部材５５を、ステップ幕板部５２の段鼻部５３の側面凹部５４２に係合させる。これにより、段鼻カバー部材５５を、側面凹部５４２に配置されたネジ部材５０１及び照明ユニット５８の配線５９を覆うように、段鼻部５３に取り付ける。
【００７３】
また、一対の側板４１に、図１９に示すように、手摺り柱（図示せず）などを取り付ける場合には、側板４１の外側面に、手摺り柱などをネジ部材により固定するためのネジ穴の穴加工を行うこともできる。この場合には、外面側穴あけ治具７２を用いて、手摺り柱などをネジ部材で取り付けるためのネジ穴の穴加工を行う。
【００７４】
外面側穴あけ治具７２は、図１９に示すように、板状に形成される。外面側穴あけ治具７１は、使用時に、折り目７０３に沿ってＬ字状に折り曲げて使用され、側板４１の外側面及び傾斜面に跨るように配置される。外面側穴あけ治具７２は、外側面位置合わせ水平片７２１と、傾斜面対応片７２２と、を有する。
【００７５】
一対の側板４１に、手摺り柱（図示せず）などを取り付ける場合に、外面側穴あけ治具７２を折り曲げて、外側面位置合わせ水平片７２１の上辺７２１ａを、柱高さ設定位置７３に一致するように配置する。これにより、手摺り柱（図示せず）の取り付け高さの位置決めを行うことができる。この状態で、側板４１の外側面において、複数の柱用穴あけ開口７２１ｂにマーキングペンなどの先端を挿入して、複数の柱固定用ネジ穴４０４の穴あけ位置にマーキングを行う。外面側穴あけ治具７２を側板４１から外した後に、マーキング位置において、複数の柱固定用ネジ穴４０４の穴加工を行う。そして、複数の柱固定用ネジ穴４０４において、ネジ部材により、手摺り柱などを、側板４１の外側面の取付位置に固定する。
【００７６】
以上のように構成される人工木デッキ１は、人工木デッキ１のステップ部３０において、踏板５１１の下方に、人工木で形成された蹴込み部５６が配置されるため、床板材２２との統一感が得られ、意匠性を向上できる。また、蹴込み部５６を設けたため、安全性を向上できる。
【００７７】
また、ステップ幕板部５２は、踏板５１１の前側Ｙ１に配置されると共に蹴込み部５６の上端に配置される段鼻本体部５４を有し、蹴込み部５６及び段鼻本体部５４は、一体的に形成される。そのため、蹴込み部５６及び段鼻本体部５４を一体的に形成することで、部品点数を削減できる。これにより、別々で構成するよりも製造コストを低減できる。また、蹴込み部５６及び段鼻本体部５４を別々で構成するよりも、組み付け性を向上できる。また、蹴込み部５６及び段鼻本体部５４を一体的に形成することで、シンプルな構成となり、意匠性を向上できる。
【００７８】
また、幕板補強ブラケット５７は、ステップ幕板部５２の背面に嵌合可能な上部嵌合部５７５及び下部嵌合部５７６，５７７を有する。そのため、ステップ幕板部５２の背面に上部嵌合部５７５及び下部嵌合部５７６，５７７を嵌合させるだけで、幕板補強ブラケット５７をステップ幕板部５２の背面に容易に仮固定することができる。これにより、ステップ幕板部５２を踏板５１１に固定する作業性を向上できる。
【００７９】
また、幕板補強ブラケット５７は、踏板５１１に嵌合可能な踏板側嵌合部５７３を有する。そのため、踏板５１１に踏板側嵌合部５７３を嵌合させるだけで、幕板補強ブラケット５７に踏板５１１を容易に仮固定することができる。これにより、ステップ幕板部５２を踏板５１１に固定する作業性を向上できる。
【００８０】
また、ステップ幕板部５２は、ステップ幕板部５２、幕板補強ブラケット５７及び踏板５１１がネジ部材５０１で共締めされることで、踏板５１１に固定される。そのため、ステップ幕板部５２を踏板５１１に固定する際に、１本のネジ部材５０１のみで固定できるため、ステップ幕板部５２を踏板５１１に固定する作業性を向上できる。また、ステップ幕板部５２、幕板補強ブラケット５７及び踏板５１１が並んだ箇所において、ステップ幕板部５２、幕板補強ブラケット５７及び踏板５１１が並ぶ方向に沿って、ネジ部材５０１を移動させて固定できる。これにより、また、ネジ部材５０１の先端が踏板５１１の内部に位置して外部に露出しないため、安全性を確保できる。
【００８１】
また、ステップ幕板部５２は、上部側に配置され下方が開放すると共に照明ユニット５８が取り付けられる下面凹部５４３と、照明ユニット５８の配線５９が配置される側面凹部５４２と、を有する。これにより、照明ユニット５８を配置するスペースを確保できる。
【００８２】
また、ステップ幕板部は、上部側に配置され前方側の側方が開放すると共にネジ部材５０１が配置される側面凹部５４２と、側面凹部５４２に配置されたネジ部材５０１を覆うようにステップ幕板部５２に取り付けられる段鼻カバー部材５５と、を有する。これにより、側面凹部５４２に配置されたネジ部材５０１を隠すことができるため、意匠性を向上できる。
【００８３】
以上説明した本実施形態の人工木デッキ１によれば、以下のような効果を奏する。
本実施形態の人工木デッキ１は、人工木で形成された複数の床板材２２を有するデッキ本体２０と、デッキ本体２０に接続されるステップ部３０と、を備える人工木デッキ１であって、ステップ部３０は、人工木で形成された一対の側板４１と、一対の側板４１の間に配置され人工木で形成された踏板５１１と、を有し、床板材２２、側板４１及び踏板５１１は、断面形状が同一である。そのため、床板材２２、側板４１及び踏板５１１が人工木で形成され、人工木の統一感を得られるため、意匠性を向上できる。また、床板材２２、側板４１及び踏板５１１を共通の部材とできるため、意匠性を向上させつつ、製造コストを低減できる。
【００８４】
また、本実施形態においては、側板４１は、中空部４１１を有するホロー構造の形材により形成され、中空部４１１の内部に配置される側板補強部材４４を備え、踏板５１１は、側板補強部材４４に補強された状態で、一対の側板４１の内側の側面に固定される。そのため、踏板受け金具６１が、ネジ部材６０１により、側板４１の内側の側面に固定される際に、側板補強部材４４により、ネジ部材６０１の先端が受けられて、踏板受け金具６１を強固に固定できる。これにより、踏板５１１の側板４１への取り付け強度を向上できる。
【００８５】
また、本実施形態においては、ステップ部３０は、上下方向に延びると共に人工木で形成された蹴込み部５６を有しネジ部材５０１により踏板５１１に固定されるステップ幕板部５２と、ネジ部材５０１を覆うようにステップ幕板部５２に取り付けられる段鼻カバー部材５５と、側板４１の端部の開口を覆うように側板４１に取り付けられる側板カバー部材４２と、を有し、段鼻カバー部材５５及び側板カバー部材４２は、断面形状が同一である。そのため、段鼻カバー部材５５及び側板カバー部材４２を共通の部材とすることができるため、意匠性を向上させつつ、製造コストを低減できる。
【００８６】
以上、本発明の人工木デッキ１の好ましい一実施形態について説明したが、本発明は、上述した実施形態に制限されるものではなく、適宜変更が可能である。
例えば、前記実施形態においては、踏板５１１の前側Ｙ１にステップ幕板部５２を配置したが、これに限定されず、ステップ幕板部を備えていなくてもよい。
【００８７】
また、前記実施形態においては、ステップ幕板部５２を、段鼻部５３及び蹴込み部５６で構成したが、これに限定されない。例えば、ステップ幕板部５２は、段鼻部５３を有していなくてもよい。
【００８８】
また、前記実施形態においては、ステップ部３０の踏板５１１を２段で構成したが、これに限定されない。ステップ部の踏板を、例えば、１段又は３段以上で構成してもよい。
【００８９】
また、前記実施形態においては、段鼻本体部５４の下面凹部５４３に照明ユニット５８を配置するように構成したが、これに限定されない。段鼻本体部５４の下面凹部５４３に、例えば、他の電子機器等を配置するように構成してもよい。
【００９０】
また、前記実施形態においては、床板材２２、側板４１及び踏板５１１を、同一材料で形成したが、これに限定されない。例えば、床板材２２、側板４１及び踏板５１１のいずれか１つを、他の２つとは異なる樹脂材料に木粉を混ぜて形成してもよいし、床板材２２、側板４１及び踏板５１１それぞれを、異なる樹脂材料に木粉を混ぜて形成してもよい。
【符号の説明】
【００９１】
１  人工木デッキ
２０  デッキ本体
２２  床板材
３０  ステップ部
４１  側板
４２  側板カバー部材
４４  側板補強部材（中空部補強部材）
５２  ステップ幕板部
５６  蹴込み部
５５  段鼻カバー部材（幕板カバー部材）
４１１  中空部
５１１  踏板
【図１】
2019011587.tif 000003
【図２】
2019011587.tif 000004
【図３】
2019011587.tif 000005
【図４】
2019011587.tif 000006
【図５】
2019011587.tif 000007
【図６】
2019011587.tif 000008
【図７】
2019011587.tif 000009
【図８】
2019011587.tif 000010
【図９】
2019011587.tif 000011
【図１０】
2019011587.tif 000012
【図１１】
2019011587.tif 000013
【図１２】
2019011587.tif 000014
【図１３】
2019011587.tif 000015
【図１４】
2019011587.tif 000016
【図１５】
2019011587.tif 000017
【図１６】
2019011587.tif 000018
【図１７】
2019011587.tif 000019
【図１８】
2019011587.tif 000020
【図１９】
2019011587.tif 000021